(57)【特許請求の範囲】
【請求項１】
本体の外郭を形成する金属製の外郭ケースと、前記外郭ケースの上方に設けられた被加熱調理器具を載置するトッププレートと、前記トッププレートを下方で支持するアンダーフレームと、前記トッププレートの外周を覆い前記トッププレートを前記アンダーフレームとで挟持するトップフレームと、前記アンダーフレームの下面４隅に設けられ前記外郭ケースと前記アンダーフレームとを接続固定するフレームフックと、前記トッププレートの下方に設けられた誘導加熱コイルと、前記誘導加熱コイルに高周波電力を供給する制御基板と、前記制御基板を載置する制御基板ケースと、外部操作により前記誘導加熱コイルを制御するための信号入力部及び機器の制御状態を表示する表示部を有する操作基板と、前記操作基板を収納し前記トップフレームの下面に固定される操作基板ケースとを備え、前記操作基板ケースは前方に突出された延長部を設け、前記延長部の前面に補強壁を形成し、前記補強壁は前記外郭ケースに沿って所定の大きさの隙間を設けて配置された誘導加熱調理器。
【請求項２】
前記所定の大きさの隙間を０．３〜１．０ｍｍである０．５ｍｍとした請求項１に記載の誘導加熱調理器。
【請求項３】
前記補強壁から前記操作基板ケースの間に所定の変位量を吸収できるように弾性体を設け、前記所定の大きさの隙間を前記弾性体を設ける前より小さくした請求項１または２に記載の誘導加熱調理器。
【請求項４】
前記補強壁と前記外郭ケースの間にクッション材を貼り付けた請求項１〜３のいずれか１項に記載の誘導加熱調理器。
【発明の詳細な説明】
【技術分野】
【０００１】
本発明は、卓上に置いて使用する誘導加熱調理器に関するものである。
【背景技術】
【０００２】
従来、この種の誘導加熱調理器では、外郭ケースを金属で形成しているものがある（例えば、特許文献１参照）。
【０００３】
その構成は図７に示すように、本体の外郭を形成する金属製の外郭ケース２１と、外郭ケースの上方に設けられた被加熱調理器具を載置するトッププレート２２と、トッププレート２２を下方で支持するアンダーフレーム２３と、トッププレート２２の外周を覆いトッププレートをアンダーフレーム２３とで挟持するトップフレーム２４と、アンダーフレーム２３の下面４隅に設けられ外郭ケース１とアンダーフレーム２３とを接続固定するフレームフック２５と、トッププレート２２の下方に設けられた誘導加熱コイル２６と、誘導加熱コイル２６に高周波電力を供給する制御基板２７と、制御基板を載置する制御基板ケース２８と、外部操作により誘導加熱コイルを制御するための信号入力部２９及び機器の制御状態を表示する表示部３０を有する操作基板３１と、操作基板を収納しトップフレームの下面に固定される操作基板ケース３２とを備えている。また、図８に示すように、操作基板ケース３２は、トップフレーム２４にネジ３５にて固定され、トップフレーム２４の上面には、操作ボタンを印刷したパネルシート３６が貼り付けられており、ネジ３５を隠す役割もしている。
【先行技術文献】
【特許文献】
【０００４】
【特許文献１】特開昭６０−０４４９９６号公報
【発明の概要】
【発明が解決しようとする課題】
【０００５】
しかしながら前記従来の構成では、外郭ケースの強度が十分でないと、製品の運搬時や持ち運び時の落下等で外郭ケースに図８のように衝撃が加わった際、外郭ケースが永久変形してしまうことがあるという課題を有していた。外郭ケースの強度を上げる手段としては、外郭ケースの板厚を厚くするという方法があるが、厚くするに伴い重量が重たくなるのと、材料費が高くなるという弊害がある。また、段押しを追加する手段もあるが、使用者から見える部分であるためデザイン性が悪くなるという弊害がある。
【０００６】
本発明は前記従来の課題を解決するもので、外郭ケースの板厚を厚くしたり、段押しを追加したりせずに、外郭ケースの強度を上げた誘導加熱調理器を提供することを目的とする。
【課題を解決するための手段】
【０００７】
前記従来の課題を解決するために本発明の誘導加熱調理器は、操作基板ケースの前方に突出された延長部を設け、前記延長部の前面に補強壁を形成し、前記補強壁は前記外郭ケースに沿って所定の大きさの隙間を設けて配置されたものである。
【０００８】
これによって、製品の運送時や持ち運び時の落下等で外郭ケースに衝撃が加わった際、補強板が本体内側から外郭ケースの変形を押さえるため、外郭ケースが永久変形してしまうのを防ぐことが出来る。
【発明の効果】
【０００９】
本発明の誘導加熱調理器は、外郭ケースの板厚を厚くしたり段押しを追加したりせずに、製品の運送時や持ち運び時の落下等で外郭ケースに衝撃が加わった際、補強板が本体内側から外郭ケースの変形を押さえることにより、外郭ケースが永久変形してしまうのを防ぐことが出来る。
【図面の簡単な説明】
【００１０】
【図１】本発明の実施の形態１における誘導加熱調理器の斜視図
【図２】本発明の実施の形態１における誘導加熱調理器の断面図
【図３】本発明の実施の形態２における誘導加熱調理器の断面図
【図４】本発明の実施の形態３における操作基板ケースの正面図
【図５】本発明の実施の形態３における誘導加熱調理器の断面図
【図６】本発明の実施の形態４における誘導加熱調理器の断面図
【図７】従来の誘導加熱調理器の斜視図
【図８】従来の誘導加熱調理器の断面図
【発明を実施するための形態】
【００１１】
第１の発明は、本体の外郭を形成する金属製の外郭ケースと、前記外郭ケースの上方に設けられた被加熱調理器具を載置するトッププレートと、前記トッププレートを下方で支持するアンダーフレームと、前記トッププレートの外周を覆い前記トッププレートを前記アンダーフレームとで挟持するトップフレームと、前記アンダーフレームの下面４隅に設けられ前記外郭ケースと前記アンダーフレームとを接続固定するフレームフックと、前記トッププレートの下方に設けられた誘導加熱コイルと、前記誘導加熱コイルに高周波電力を供給する制御基板と、前記制御基板を載置する制御基板ケースと、外部操作により前記誘導加熱コイルを制御するための信号入力部及び機器の制御状態を表示する表示部を有する操作基板と、前記操作基板を収納し前記トップフレームの下面に固定される操作基板ケースと、を備え、前記操作基板ケースの前方に突出された延長部を設け、前記延長部の前面に補強壁を形成し、前記補強壁は前記外郭ケースに沿って所定の大きさの隙間を設けて配置されたことにより、製品の運送時や持ち運び時の落下等で外郭ケースに衝撃が加わった際、補強板が本体内側から外郭ケースの変形を押さえるため、外郭ケースが永久変形してしまうのを防ぐことが出来る。
【００１２】
第２の発明は、第１の発明において、前記所定の大きさの隙間を０．３〜１．０ｍｍである０．５ｍｍとしたもので、製品の運送時や持ち運び時の落下等で外郭ケースに衝撃が加わった際、補強板が本体内側から外郭ケースの変形を押さえるため、外郭ケースが永久変形してしまうのを防ぐことが出来る。
【００１３】
第３の発明は、第１または第２の発明において、前記補強壁から前記操作基板ケースの間に所定の変位量を吸収できるように弾性体を設け、前記所定の大きさの隙間を前記弾性体を設ける前より小さくしたもので、製品の運送時や持ち運び時の落下等で外郭ケースに衝撃が加わった際、補強板が本体内側から外郭ケースの変形を押さえるため、外郭ケースが永久変形してしまうのを防ぐことが出来る。
【００１４】
第４の発明は、第１〜３のいずれか１つの発明において、前記補強壁と前記外郭ケースの間にクッション材を貼り付けたもので、製品の運送時や持ち運び時の落下等で外郭ケースに衝撃が加わった際、補強板が本体内側から外郭ケースの変形を押さえるため、外郭ケースが永久変形してしまうのを防ぐことが出来る。
【００１５】
以下、本発明の実施の形態について、図面を参照しながら説明する。なお、この実施の
形態によって本発明が限定されるものではない。
【００１６】
（実施の形態１）
図１は、本発明の実施の形態１における誘導加熱調理器を示している。
【００１７】
図１に示すように、本体の外郭を形成する金属製の外郭ケース１と、外郭ケース１の上方に設けられた被加熱調理器具を載置するトッププレート２と、トッププレート２を下方で支持するアンダーフレーム３と、トッププレート２の外周を覆いトッププレート２をアンダーフレーム３とで挟持するトップフレーム４と、アンダーフレーム３の下面４隅に設けられ外郭ケース１とアンダーフレーム３とを接続固定するフレームフック５と、トッププレート２の下方に設けられた誘導加熱コイル６と、誘導加熱コイル６に高周波電力を供給する制御基板７と、制御基板７を載置する制御基板ケース８と、外部操作により誘導加熱コイル６を制御するための信号入力部９及び機器の制御状態を表示する表示部１０を有する操作基板１１と、操作基板１１を収納しトップフレーム４の下面に固定される操作基板ケース１２とを備え、操作基板ケース１２は前方に突出された延長部１３を設け、延長部１３の前面に補強壁１４を形成し、補強壁１４は外郭ケース１に沿って所定の大きさの隙間を設けて配置され、前記所定の大きさの隙間を０．３〜１．０ｍｍとする構成としている。
【００１８】
図２は、本発明の実施の形態１における側面断面図を示している。以下操作基板ケース１２についてさらに詳細に説明する。
【００１９】
図２に示すように、操作基板ケース１２は、トップフレーム４にネジ１５にて固定され、トップフレーム４の上面には、操作ボタンを印刷したパネルシート１６が貼り付けられており、ネジ１５を隠す役割もしている。操作基板ケース１２は前方に突出された延長部１３を設けており、延長部１３の前面に補強壁１４を形成している。補強壁１４は外郭ケース１に沿って所定の大きさの隙間１７を設けて配置され、所定の大きさの隙間を０．３〜１．０ｍｍとしている。
【００２０】
以上のように構成された誘導加熱調理器について、以下その作用を説明する。
【００２１】
製品の輸送時や持ち運び時に落下等で外郭ケース１に衝撃が加わったときに、外郭ケース１が本体内側へ変形を始めると、補強壁１４に当たり、変形が抑えられる。これにより、外郭ケース１が永久変形してしまうのを防ぐことが出来る。なお、所定の大きさの隙間は外郭ケースの材質、板厚に応じて、外郭ケースが永久変形に至る変位量にならないように設定すればよい。
【００２２】
（実施の形態２）
図３は、本発明の実施の形態２における誘導加熱調理器の側面断面図を示している。実施の形態１と同一要素については同一符号を付してその説明を省略する。
【００２３】
図３に示すように、所定の大きさの隙間を外郭ケースが永久変形に至る変位量より小さな略０．５ｍｍとしたものである。これにより外郭ケース１が永久変形してしまうのを防ぐことが出来る。
【００２４】
（実施の形態３）
図４は、本発明の実施の形態３における操作基板ケース１２の正面図を示している。実施の形態１と同一要素については同一符号を付してその説明を省略する。
【００２５】
図４に示すように、操作基板ケース１２は前方に突出された延長部１３を設けており、
延長部１３には屈曲部１８を設けている。
【００２６】
図５は、本発明の実施の形態３における誘導加熱調理器の側面断面図を示している。
【００２７】
図５に示すように、延長部１３の前面に設けられた補強壁１４は、外郭ケース１に沿って接触して配置されている。
【００２８】
このように、本実施の形態においては、延長部１３に屈曲部１８を設けることにより、補強壁１４に所定の変位量を吸収できる弾性体を設けており、外郭ケース１が永久変形してしまうのを防ぐことができ、かつ、外郭ケースが補強壁と当たるときの接触痕も防ぐことが出来る。なお、所定の変位量は外郭ケース１が永久変形を起こしてしまう変位量よりも小さくすれば良い。
【００２９】
（実施の形態４）
図６は、本発明の実施の形態４における誘導加熱調理器の側面断面図を示している。実施の形態１と同一要素については同一符号を付してその説明を省略する。
【００３０】
図６に示すように、補強壁１４と外郭ケース１４の間にクッション材１９を貼り付けたものである。これにより、外郭ケース１が永久変形してしまうのを防ぐことが出来き、かつ、外郭ケースが補強壁と当たるときの接触痕も防ぐことが出来る。
【産業上の利用可能性】
【００３１】
以上のように、本発明にかかる誘導加熱調理器は、製品の運送時や持ち運び時の落下等で外郭ケースに衝撃が加わった際、補強板が本体内側から外郭ケースの変形を押さえるため、外郭ケースが永久変形してしまうのを防ぐことが出来るので、誘導加熱調理器に限らず卓上に設置する外郭を金属で形成にした調理器等に適用できる。
【符号の説明】
【００３２】
１  外郭ケース
２  トッププレート
３  アンダーフレーム
４  トップフレーム
５  フレームフック
６  誘導加熱コイル
７  制御基板
８  制御基板ケース
９  信号入力部
１０  表示部
１１  操作基板
１２  操作基板ケース
１３  延長部
１４  補強壁
１５  ネジ
１６  パネルシート
１８  屈曲部（弾性体）
１９  クッション材
【図１】
0005391922.tif 000002
【図２】
0005391922.tif 000003
【図３】
0005391922.tif 000004
【図４】
0005391922.tif 000005
【図５】
0005391922.tif 000006
【図６】
0005391922.tif 000007
【図７】
0005391922.tif 000008
【図８】
0005391922.tif 000009